(57)【特許請求の範囲】
【請求項１】
流体を通すために内視鏡内に配管された軟性チューブの端部に、外周面に突起がない一定外径の硬質パイプの端部が差し込まれ、その差し込み部に上記軟性チューブの外面から締め付け力を加える締め付け部材が取り付けられた内視鏡の配管接続部において、
上記硬質パイプの端面から離れた位置で上記締め付け部材が上記硬質パイプの表面に上記軟性チューブを締め付ける締め付け力に比べて、それより上記硬質パイプの端面側に偏位した位置で上記締め付け部材が上記軟性チューブを締め付ける締め付け力を小さく設定して、
上記硬質パイプの端面位置において上記軟性チューブに加えられる締め付け力を、上記硬質パイプの端面から離れた位置において上記軟性チューブに加えられる締め付け力より小さくしたことを特徴とする内視鏡の配管接続部。
【請求項２】
上記締め付け部材が、上記硬質パイプの端面から離れるにしたがって内径が漸次小さく形成されたテーパ環である請求項１記載の内視鏡の配管接続部。
【請求項３】
上記締め付け部材が、上記硬質パイプの端面から離れた位置において上記軟性チューブを上記硬質パイプの表面に締め付ける第１の環状部材と、その第１の環状部材より大きな内径に形成されて上記硬質パイプの端面付近において上記軟性チューブを上記硬質パイプの表面に締め付ける第２の環状部材とを有している請求項１記載の内視鏡の配管接続部。
【請求項４】
上記第２の環状部材が、上記硬質パイプが差し込まれていない部分の上記軟性チューブを被覆する状態に延長形成されている請求項３記載の内視鏡の配管接続部。
【請求項５】
上記締め付け部材が、上記硬質パイプの端面から離れた位置において上記軟性チューブの外周に巻き付けられた糸状部材と、上記硬質パイプが差し込まれていない部分の上記軟性チューブの外面から上記糸状部材の外面にわたる範囲を締め付けるように被覆するチューブ状部材とを有している請求項１記載の内視鏡の配管接続部。
【請求項６】
上記締め付け部材が、上記硬質パイプの端面から離れた位置において上記軟性チューブを上記硬質パイプの表面に締め付ける第１の環状部材と、上記硬質パイプが差し込まれていない部分の上記軟性チューブを締め付ける第２の環状部材とを有している請求項１記載の内視鏡の配管接続部。
【発明の詳細な説明】
【０００１】
【発明の属する技術分野】
この発明は内視鏡の配管接続部に関する。
【０００２】
【従来の技術】
内視鏡内には、送気、送水或いは吸引等を行うために流体を通す軟性チューブが配管されており、配管の接続部には、図７に示されるように、軟性チューブ１の端部に硬質パイプ２の端部が差し込まれ、接続部が外れないようにするために、軟性チューブ１がテーパ環状の締め付け部材３により外面から締め付けられた状態で接着されている。
【０００３】
このような構造の内視鏡の配管接続部においては、締め付け部材３から軟性チューブ１に加えられている締め付け力は硬質パイプ２の端面位置において最も大きく、その部分で軟性チューブ１が最も大きく潰されてその肉厚が薄くなっている。
【０００４】
【発明が解決しようとする課題】
軟性チューブ１に外力が加わると、硬質パイプ２との接続部の境界部分に最も応力が集中するが、上述のような構造の従来の内視鏡の配管接続部では、その部分で軟性チューブ１の肉厚が最も薄くなっているので、軟性チューブ１の座屈や破れが発生し易かった。
【０００５】
そこで本発明は、軟性チューブが硬質パイプとの接続部分において座屈や破損を起こし難くて耐久性の優れた内視鏡の配管接続部を提供することを目的とする。
【０００６】
【課題を解決するための手段】
上記の目的を達成するため、本発明の内視鏡の配管接続部は、流体を通すために内視鏡内に配管された軟性チューブの端部に硬質パイプの端部が差し込まれ、その差し込み部に上記軟性チューブの外面から締め付け力を加える締め付け部材が取り付けられた内視鏡の配管接続部において、上記硬質パイプの端面位置において上記軟性チューブに加えられる締め付け力を、上記硬質パイプの端面から離れた位置において上記軟性チューブに加えられる締め付け力より小さくしたことを特徴とする。
【０００７】
なお、上記締め付け部材が、上記硬質パイプの端面から離れるにしたがって内径が漸次小さく形成されたテーパ環であってもよい。また、上記締め付け部材が、上記硬質パイプの端面から離れた位置において上記軟性チューブを上記硬質パイプの表面に締め付ける第１の環状部材と、その第１の環状部材より大きな内径に形成されて上記硬質パイプの端面付近において上記軟性チューブを上記硬質パイプの表面に締め付ける第２の環状部材とを有していてもよい。そして、その第２の環状部材が、上記硬質パイプが差し込まれていない部分の上記軟性チューブを被覆する状態に延長形成されていてもよい。
【０００８】
また、上記締め付け部材が、上記硬質パイプの端面から離れた位置において上記軟性チューブの外周に巻き付けられた糸状部材と、上記硬質パイプが差し込まれていない部分の上記軟性チューブの外面から上記糸状部材の外面にわたる範囲を締め付けるように被覆するチューブ状部材とを有していてもよい。
【０００９】
また、上記締め付け部材が、上記硬質パイプの端面から離れた位置において上記軟性チューブを上記硬質パイプの表面に締め付ける第１の環状部材と、上記硬質パイプが差し込まれていない部分の上記軟性チューブを締め付ける第２の環状部材とを有していてもよい。
【００１０】
【発明の実施の形態】
図面を参照して本発明の実施の形態を説明する。
図６は内視鏡の操作部を示しており、空気や水を通すために内視鏡内に配管された軟性チューブ１の端部が、送気送水操作を行うための送気送水操作弁１０に突設された硬質パイプ２に接続されている。
【００１１】
図１は、その軟性チューブ１と硬質パイプ２との接続部を拡大して示している。軟性チューブ１は例えばポリエチレン樹脂製、硬質パイプ２は例えばステンレス鋼管製であり、軟性チューブ１の端部に硬質パイプ２の端部が差し込まれ、その差し込み部には、軟性チューブ１の外面から締め付け力を加える締め付け部材３が取り付けられて各部材どうしが接着剤により接合されている。
【００１２】
締め付け部材３は例えば真鍮パイプ製であり、内側に硬質パイプ２が通されている部分の軟性チューブ１を外面から締め付ける状態に取り付けられている。この実施の形態においては、締め付け部材３は、硬質パイプ２の端面２ａから離れるにしたがって漸次小さな内径になるテーパ環状に形成されている。
【００１３】
その結果、硬質パイプ２の端面２ａの位置において軟性チューブ１に加わる締め付け力は、硬質パイプ２の端面２ａから離れた位置において軟性チューブ１に加わる締め付け力より小さくなっている。
【００１４】
したがって、軟性チューブ１に外力が加わったときに、軟性チューブ１に最も応力が集中する硬質パイプ２との接続部の境界部分において、軟性チューブ１の肉厚が薄くならず座屈や破れが発生し難い。
【００１５】
図２は、本発明の第２の実施の形態の軟性チューブ１と硬質パイプ２との接続部を示している。この実施の形態においては、締め付け部材３として、内径の大きさが相違する二つの環状部材３ａ，３ｂを用いている。
【００１６】
そして、軟性チューブ１を、内径の小さな第１の環状部材３ａによって硬質パイプ２の端面２ａから離れた位置において締め付け、それより内径の大きな第２の環状部材３ｂによって、硬質パイプ２の端面２ａ寄りの位置において締め付けている。
【００１７】
その他の構成は第１の実施の形態と同じであり、このように構成しても、硬質パイプ２の端面２ａの位置において軟性チューブ１に加わる締め付け力が、硬質パイプ２の端面２ａから離れた位置において軟性チューブ１に加わる締め付け力より小さいので、硬質パイプ２との接続部の境界部分において、軟性チューブ１の肉厚が薄くならず座屈や破れが発生し難い。
【００１８】
図３は、本発明の第３の実施の形態の軟性チューブ１と硬質パイプ２との接続部を示しており、第２の実施の形態の第２の環状部材３ｂを可撓性チューブで形成して、硬質パイプ２が差し込まれていない部分の軟性チューブ１を被覆する状態に延長形成したものである。
【００１９】
その他の構成は第２の実施の形態と同じであり、このように構成すると、軟性チューブ１の硬質パイプ２との接続部の境界部分が第２の環状部材３ｂによって補強されるので、軟性チューブ１の座屈や破れがさらに発生し難くなる。
【００２０】
図４は、本発明の第４の実施の形態の軟性チューブ１と硬質パイプ２との接続部を示しており、締め付け部材３として、硬質パイプ２が差し込まれた部分の軟性チューブ１を硬質パイプ２の端面２ａから離れた位置で締め付けるように外周に巻き付けられた糸状部材３ｃと、硬質パイプ２が差し込まれていない部分の軟性チューブ１の外面から糸状部材３ｃの外面にわたる範囲を締め付けるように被覆する熱収縮性のチューブ状部材３ｄとを用いたものである。このように、締め付け部材３としては環状部材に限らず、糸状部材等を用いることもできる。
【００２１】
図５は、本発明の第５の実施の形態の軟性チューブ１と硬質パイプ２との接続部を示しており、第２の実施の形態の第２の環状部材３ｂを、硬質パイプ２が差し込まれていない部分の軟性チューブ１の外面に取り付けたものである。
【００２２】
このように構成しても、硬質パイプ２の端面２ａの位置において軟性チューブ１に加わる締め付け力を、硬質パイプ２の端面２ａから離れた位置において軟性チューブ１に加わる締め付け力より小さくして、硬質パイプ２との接続部の境界部分における軟性チューブ１の座屈や破れを発生し難くすることができる。
【００２３】
【発明の効果】
本発明によれば、硬質パイプの端面位置において軟性チューブに加えられる締め付け力を、硬質パイプの端面から離れた位置において軟性チューブに加えられる締め付け力より小さくしたことにより、軟性チューブに外力が加わったときに最も応力が集中する硬質パイプとの接続部の境界部分において軟性チューブの肉厚が薄くならず、座屈や破れが発生し難くて、優れた耐久性を得ることができる。
【図面の簡単な説明】
【図１】本発明の第１の実施の形態の軟性チューブと硬質パイプとの接続部の断面図である。
【図２】本発明の第２の実施の形態の軟性チューブと硬質パイプとの接続部の断面図である。
【図３】本発明の第３の実施の形態の軟性チューブと硬質パイプとの接続部の断面図である。
【図４】本発明の第４の実施の形態の軟性チューブと硬質パイプとの接続部の断面図である。
【図５】本発明の第５の実施の形態の軟性チューブと硬質パイプとの接続部の断面図である。
【図６】内視鏡の操作部の略示図である。
【図７】従来の軟性チューブと硬質パイプとの接続部の断面図である。
【符号の説明】
１  軟性チューブ
２  硬質パイプ
３  締め付け部材
【図１】
0004131003.tif 000002
【図２】
0004131003.tif 000003
【図３】
0004131003.tif 000004
【図４】
0004131003.tif 000005
【図５】
0004131003.tif 000006
【図６】
0004131003.tif 000007
【図７】
0004131003.tif 000008